(57)【要約】【課題】外れる恐れのない安全性が確保される着用汎用性を有する安全アイゼンを提供する。【解決手段】スパイク１０が設けられ、発泡性樹脂またはゴムのような伸縮性を有する素材からなるスパイクパッド２０に、はき物に係止するための掛け部が一体に設けられる滑り止め用アイゼンにおいて、複数個のスパイク１０が設けられる弾性スパイクパッド２０と、スパイクパッド２０の４隅のそれぞれから外方に向かう四枝バンド３０（３１，３２）と、四枝バンド３０の先端が内接して連結されるリングバンド４０とが、伸縮性を有する弾性素材として一体に形成されている。スパイクパッド２０と四枝バンド３０とリングバンド４０とにより形成される四つの開口Ａ，Ｂ，Ｃ，Ｃが、はき物に係止するための掛け部になる。【選択図】図１
2006110354.tif 000002
【特許請求の範囲】
【請求項１】
スパイクが設けられ、発泡性樹脂及びゴムを含む伸縮性を有する素材からなるスパイクパッドに、はき物に掛止するための掛け部が一体に設けられる滑り止め用アイゼンにおいて、
複数個のスパイクが設けられる前記弾性スパイクパッドと、
前記スパイクパッドの４隅のそれぞれから外方に向かう四枝バンドと、
前記四枝バンドのそれぞれの先端が連結されるリングバンドとが、伸縮性を有する弾性素材として一体に形成されることを特徴とする着用汎用性を有する安全アイゼン。
【請求項２】
前記スパイクは、円盤部と、該円盤部の周りに沿って、折曲突設されている複数個の爪を有し、
前記円盤部が、前記スパイクパッドにリベットで固定されることを特徴とする請求項１に記載の着用汎用性を有する安全アイゼン。
【請求項３】
前記スパイクパッドには、複数個の弾性突起が一体に形成されることを特徴とする請求項１及び２のいずれか一項に記載の着用汎用性を有する安全アイゼン。
【請求項４】
前記四枝バンドは、前記スパイクパッドからはき物の前方に向かう第１のバンドと、前記スパイクパッドからはき物の踵に向かう第２のバンドとが、それぞれ左右対称に形成されたものであり、
前記左右の第１のバンドと、その間を連結する前記リングバンの第１の円弧とによって、前掛け部としての開口が形成され、
前記左右の第２のバンドと、その間を連結する前記リングバンドの第２の円弧とによって、後掛け部としての開口が形成され、
前記第１の円弧と第２の円弧との間を連結する前記リングバンドの左右の第３の円弧と、該第３の円弧の両端に連結される前記第１のバンド及び前記第２のバンドとによって、左右の両側圧着部としての開口が形成されることを特徴とする請求項１から３のいずれか一項に記載の着用汎用性を有する安全アイゼン。
【請求項５】
前記スパイクパッドを靴底の前方に位置させるために、前記第１の円弧に比べて前記第２の円弧の長さが長く形成されることを特徴とする請求項４に記載の着用汎用性を有する安全アイゼン。
【請求項６】
前記第２の円弧には、内部を横切って両端が該第２の円弧に連結する第３のバンドと、該第３のバンドの中央部と該第２の円弧の中央部を連結する第４のバンドｂとが、一体に形成されることを特徴とする請求項４及び５のいずれか一項に記載の着用汎用性を有する安全アイゼン。
【請求項７】
前記リングバンドには、該リングバンドの左右を連結してはき物などを締め付けるための第５のバンドが設けられることを特徴とする請求項１から４のいずれか一項に記載の着用汎用性を有する安全アイゼン。
【請求項８】
前記第５のバンドは、前記第１のバンドと前記第２のバンドとの間を連結する左右の前記第３の円弧の一方に設けられた留め具と、該左右の第３の円弧の他方に設けられた弾性紐とを有し、該弾性紐は、前記留め具に係合する係合部を有することを特徴とする請求項７に記載の着用汎用性を有する安全アイゼン。
【請求項９】
前記スパイクの前記爪が、前記円盤部に対して１１０°の向きに設けられていることを特徴とする請求項１から８のいずれか一項に記載の着用汎用性を有する安全アイゼン。
【発明の詳細な説明】
【技術分野】
【０００１】
本発明は、滑り止め用アイゼンに係り、詳しくは、着用感及び歩き心地がよく、登山靴のみならず、普通の革靴やハイヒールの靴、ゴム靴に至るまで、いずれのはき物にも装着することができ、登攀はもとより、滑りやすい道や凍った道などを安全に歩くことができ、携帯しやすい着用汎用性を有する安全アイゼンに関する。
【背景技術】
【０００２】
一般に、冬季の安全な山歩きのために着用するアイゼンは、はき物に一体的に固定される固着式のものと、締付バンド等によって、はき物に着脱可能な着脱式のものとに大別されている。
【０００３】
従来の着脱式アイゼンは、大体、硬質の金属板にスパイクが突設されており、柔軟性がないため、携帯性及び取扱性が悪く、怪我をする恐れがあり、はき物に比べ相対的に大きくかつ高くて、体の均衡を保てず、歩行が不便であるという問題点がある。
【０００４】
また、このように着用感と歩行が不便であるため、登攀の際にのみ着用され、平地や凍った道では、使用し難いという問題点がある。
【０００５】
このため、従来、図７及び図８に示すように、ゴム等の軟性材質となるスパイクパッド１２０に、鋲１１０が突設され、スパイクパッド１２０と一体的に、はき物の前方部位と踵に掛止するための掛け部１３０,１４０が備えられた技術が開示されている（特許文献１参照）。
【０００６】
このように構成されたものは、スパイクパッド１２０と掛け部１３０,１４０が、伸縮性を有することにより、着用と携帯が容易であるという利点がある。
【０００７】
【特許文献１】日本国登録実用新案第３０２０６８０号公報
【発明の開示】
【発明が解決しようとする課題】
【０００８】
しかしながら、特許文献１に記載のものは、鋲１１０が設けられたスパイクパッド１２０の前後方にのみ掛け部１３０，１４０が設けられているため、装着が不安定となり、登攀中に離脱してしまう恐れがあり、安全性に劣り、スパイクとしての鋲１１０が突設されることにより、体の均衡を保てず、さらには、鋲が折れたり撓んだりするという恐れがある。
【０００９】
本発明は、上記事情に鑑みてなされたもので、その目的は、外れる恐れのない安全性が確保されるとともに、伸縮性を有する素材の特性により、着用感及び歩き心地がよく、登山靴のみならず、普通の革靴やハイヒールの靴、ゴム靴に至るまで、いずれのはき物にも装着することができ、登攀はもとより、滑りやすい道や凍った道などを安全に歩くことができ、携帯しやすい着用汎用性を有する安全アイゼンを提供することにある。
【課題を解決するための手段】
【００１０】
上記目的を達成するために、本発明の着用汎用性を有する安全アイゼンは、スパイクが設けられ、発泡性樹脂またはゴムのような伸縮性を有する素材からなるスパイクパッドに、はき物に掛止するための掛け部が一体に設けられる滑り止め用アイゼンにおいて、複数個のスパイクが設けられる前記スパイクパッドと、前記スパイクパッドの４隅のそれぞれから外方に向かう四枝バンドと、前記四枝バンドのそれぞれの先端が内接して連結されるリングバンドとが、伸縮性を有する弾性素材として一体に形成されることを特徴とする。
【発明の効果】
【００１１】
本発明の着用汎用性を有する安全アイゼンによれば、スパイクパッドを中心にしてはき物の前後左右を囲んで弾性的に圧着把持することにより、外れる恐れのない安全性が確保されるとともに、伸縮性を有する素材の特性により、着用感及び歩き心地がよく、登山靴のみならず、普通の革靴やハイヒールの靴、ゴム靴に至るまで、いずれのはき物にも装着することができ、登攀はもとより、滑りやすい道や凍った道などを安全に歩くことができ、携帯しやすいという優れた効果が得られる。
【発明を実施するための最良の形態】
【００１２】
以下、添付した図面に基づき、本発明の好適な実施形態について詳述する。
【００１３】
図１は、本発明に係る一実施形態の斜視図であり、図２は、図１の平面図であり、図３は、図１の着用状態図である。
【００１４】
図１〜図３に示すように、本実施形態に係る着用汎用性を有する安全アイゼン１は、スパイク１０が設けられ、発泡性樹脂またはゴムのような伸縮性を有する素材からなるスパイクパッド２０に、はき物に掛止するための掛け部が一体に設けられる滑り止め用アイゼンにおいて、複数個のスパイク１０が設けられる前記弾性スパイクパッド２０と、このスパイクパッド２０の４隅のそれぞれから外方に向かう四枝バンド３０と、四枝バンド３０のそれぞれの先端が内接して連結されるリングバンド４０とが、伸縮性を有する弾性素材として一体に形成されているものである。
【００１５】
リングバンド４０は、文字通りに環状であることが好ましい。
【００１６】
スパイク１０は、円盤部１１と、この円盤部１１の周りに沿って、折曲突設されている複数個の爪１３を有している。円盤部１１は、スパイクパッド２０にリベット１５で固定されることが好ましい。このリベット１５は平ら頭となっていることが好ましい。
【００１７】
また、スパイク１０の爪１３は、円盤部１１の縁から、円盤部１１の面に対して１１０°の向きに設けられていることが好ましい。
【００１８】
このように、スパイクの爪１３が円周状に配列されることにより、滑り止め効果がよく、着地が安定的で使い勝手がよく、折れや撓み等に対する安全性が確保され、歩き心地が極めてよく、さらには、寿命が長くなる。
【００１９】
また、前記爪１３が１１０°上向きの傾きを有することにより、氷片がスパイク１０の内部に入って固まることを防止し、たとえ、固まった氷片があっても、抜けやすいので、制動というスパイクそのものの機能を果たすことができる。また、前記爪１３の先端は緩やかに仕上げられ、楽に歩くことができるようになる。
【００２０】
スパイクパッド２０には、複数個の弾性突起２１が一体に設けられている。
【００２１】
弾性突起２１は、スパイクの安定性をさらに高めるのみならず、スパイクの爪やパッドに付いた雪や氷片を弾性によって押出する作用を行う。
【００２２】
四枝バンド３０は、はき物の前方に向かう第１のバンド３１と、はき物の踵に向かう第２のバンド３２とが、それぞれ左右対称に形成されているものである。左右の第１のバンド３１と、その間を連結するリングバンド４０の第１の円弧４１とによって、台形開口の前掛け部Ａが形成されている。また、左右の第２のバンド３２と、その間を連結するリングバンド４０の第２の円弧４２とによって、扇形開口の後掛け部Ｂが形成されている。また、左右の第１の円弧４１と第２の円弧４２との間を連結する第３の円弧４３と、この第３の円弧４３の両端に連結される第１のバンド３１及び第２のバンド３２とによって、左右の両側圧着部Ｃが形成されている。
【００２３】
スパイクパッド２０を靴底の前方に装着させるために、第１の円弧４１に比べて第２の円弧４２の長さが長く形成されることが好ましい。
【００２４】
また、第２の円弧４２には、内部を横切って、その両端がこの第２の円弧４２に連結する第３のバンド４２ａと、この第３のバンド４２ａの中央部と第２の円弧４２の中央部とを連結する第４のバンド４２ｂとが、一体に形成されていてもよい。
【００２５】
図４は、本発明に係る他の実施形態の構成図であり、図５は、図４の着用状態図である。この実施形態では、図４と図５に示すように、リングバンド４０に、このリングバンド４０の左右を連結してはき物などを締め付けるための第５のバンド５０がさらに設けられている。
【００２６】
第５のバンド５０は、第１のバンド３１と第２のバンド３２との間を連結する左右の第３の円弧４３の一方に設けられた留め具５１と、左右の第３の円弧４３の他方に設けられた弾性紐とを有し、弾性紐は、留め具５１に係合する係合部５３を有する。
【００２７】
係合部５３としては、弾性紐を留め具５１に掛け回した後、接着されるように、該当位置に設けられたマジックテープ（登録商標）でもよく、図６に示すように、弾性紐の先端に、留め具５１に係合するフックでもよい。
【００２８】
以下、このように構成された本実施形態の作用及び着用状態について説明する。
【００２９】
複数個のスパイク１０が設けられるスパイクパッド２０と、このスパイクパッド２０と一体となる四枝バンド３０とリングバンド４０とが、伸縮性のある弾性素材として一体となることにより、はき物に装着したときに、第１のバンド３１と第１の円弧４１は前掛け部Ａとして、第２のバンド３２と第２の円弧４２は後掛け部Ｂとして、前掛け部Ａと後掛け部Ｂを連結する第３の円弧４３は両側圧着部Ｃとして、それぞれ機能するようになる。
【００３０】
したがって、着用時、靴底に位置するスパイクパッド２０を中心にして、はき物の前後左右を囲んで、弾性的に圧着把持するようになり、険峻な道でも外れる恐れのない安全な装着が行われる。
【００３１】
また、前掛け部Ａを形成する第１の円弧４１が、後掛け部Ｂを形成する第２の円弧４２に比べて短く形成され、また、スパイクパッド２０とともに、台形と扇形をなすように、第１のバンド３１と第２のバンド３２の配置角を異ならせて形成することにより、スパイクパッド２０がはき物の前方に位置するようにして、バランスさせるとともに、はき物への密着度を高め、流動を防止する堅固な装着が行われる。
【００３２】
また、後掛け部Ｂの部分である第２の円弧４２に、第３のバンド４２ａと第４のバンド４２ｂとが設けられることにより、これらが一緒になって踵の膨らんだ部分を囲みながら締め付けるようになり、バンドの捩れや上下左右方向への流動を防止する堅固な弾性固定が行われる。
【００３３】
さらに、第５のバンド５０が設けられる場合（図４乃至図６参照）は、さらに堅固な固定が行われ、離脱する恐れが全くない安全性が確保される。
【００３４】
このように、本実施形態のアイゼンは、伸縮性を有する素材の特性によって、着用感及び歩き心地がよく、登山靴のみならず、普通の革靴やハイヒールの靴、ゴム靴に至るまで、いずれのはき物にも装着することができ、登攀はもとより、滑りやすい道や凍った道などを安全に歩くことができ、使用範囲が極めて広く、携帯もまた簡便である。
【００３５】
なお、本発明は、以上の実施形態に限定されるものではなく、本発明の属する技術分野における通常の知識を有する者にとって、本発明の技術的思想を逸脱しない範囲内で、様々な置換、変形、及び変更が適宜可能であることは勿論である。
【図面の簡単な説明】
【００３６】
【図１】本発明に係る一実施形態におけるアイゼンの斜視図である。
【図２】図１の平面図である。
【図３】本発明に係る一実施形態におけるアイゼンの装着状態の斜視図である。
【図４】本発明に係る他の実施形態におけるアイゼンの平面図である。
【図５】本発明に係る他の実施形態におけるアイゼンの装着状態の斜視図である。
【図６】本発明に係るさらに他の実施形態におけるアイゼンの平面図である。
【図７】従来技術のアイゼンの平面図である。
【図８】従来技術のアイゼンの装着状態の斜視図である。
【符号の説明】
【００３７】
１      アイゼン
１０    スパイク
１１    円盤部
１３    爪
１５    リベット
２０    スパイクパッド
２１    弾性突起
３０    四枝バンド
３１    第１のバンド
３２    第２のバンド
４０    リングバンド
４１    第１の円弧
４２    第２の円弧
４３    第３の円弧
４２ａ  第３のバンド
４２ｂ  第４のバンド
５０    第５のバンド
５１    留め具
５３    係止部
Ａ      前掛け部
Ｂ      後掛け部
Ｃ      両側圧着部
【図１】
2006110354.tif 000003
【図２】
2006110354.tif 000004
【図３】
2006110354.tif 000005
【図４】
2006110354.tif 000006
【図５】
2006110354.tif 000007
【図６】
2006110354.tif 000008
【図７】
2006110354.tif 000009
【図８】
2006110354.tif 000010